(57)【要約】【課題】  流路抵抗の増大を抑えながら、熱媒体の第１供給接続口を通して送給される送給流量と第２供給接続口を通して送給され送給流量との相対流量を調整することができる熱供給ヘッダーを提供すること。【解決手段】  熱媒体を分岐するためのヘッダー本体４を備え、ヘッダー本体４の一側面に第１供給接続口１０が設けられ、その他側面に第２供給接続口１２が設けられ、第１供給接続口１０及び第２供給接続口１２が往き流路１４を介して連通され、またヘッダー本体４の底面には熱媒体供給接続口１６が設けられ、この熱媒体供給接続口１２が往き流路１４に接続された熱媒体供給ヘッダー。熱媒体供給接続口１６には、第１供給接続口１０に流れる流量と第２供給接続口１２に流れる流量との相対流量を調整するための流量調整部材２４が配設されている。【選択図】  図２
2010101511.tif 000002
【特許請求の範囲】
【請求項１】
熱媒体を分岐するためのヘッダー本体を備え、前記ヘッダー本体の一側面に第１供給接続口が設けられ、その一側面と異なる他側面に第２供給接続口が設けられ、前記第１供給接続口と前記第２供給接続口とが往き流路を介して連通され、前記ヘッダー本体の底面には前記往き流路に連通される熱媒体供給接続口が設けられた熱媒体供給ヘッダーであって、
前記熱媒体供給接続口には、前記熱媒体供給接続口から前記往き流路を通して前記第１供給接続口に流れる流量と前記熱媒体供給接続口から前記往き流路を通して前記第２供給接続口に流れる流量との相対流量を調整するための流量調整部材が配設されていることを特徴とする熱媒体供給ヘッダー。
【請求項２】
前記流量調整部材は中空筒状部材から構成され、その先端部には先端開口を閉塞するための突出閉塞部が設けられ、また前記中空筒状部材には、前記第１供給接続口に対応して第１流量調整開口が設けられているとともに、前記第２供給接続口に対応して第２流量調整開口が設けられ、前記突出閉塞部は前記ヘッダー本体の一部に係合して前記中空筒状部材の相対的回動が防止されることを特徴とする請求項１に記載の熱媒体供給ヘッダー。
【請求項３】
前記流量調整部材は横断面Ｃ字状の弾性部材から構成され、前記弾性部材には流量調整開口が設けられているとともに、その両端部間には間隙開口が規定されており、前記第１供給接続口に対応して前記間隙開口又は前記流量調整開口が配置され、前記第２供給接続口に対応して前記流量調整開口又は前記間隙開口が配置され、前記弾性部材はその弾性拡径力によって前記熱媒体供給流路に弾性的に保持されることを特徴とする請求項１に記載の熱媒体供給ヘッダー。
【発明の詳細な説明】
【技術分野】
【０００１】
本発明は、室内の壁、天井、床などに設置される冷房及び／又は暖房用の装置に用いられる熱媒体供給ヘッダーに関する。
【背景技術】
【０００２】
冷房及び／又は暖房用の装置の一例として、温水を利用した温水式床暖房装置が広く実用に供されている。この温水式床暖房装置では、床面に設置される温水マットと、この温水マットの表面側に設置される表面仕上げ材とを備え、熱源機からの温水が温水マットに内蔵された温水チューブを通して循環される。また、熱源機からの温水を複数の温水マットの温水チューブに分岐するために熱媒体供給ヘッダーが設けられる。
【０００３】
この熱媒体供給ヘッダーとして、例えば、ヘッダー本体と、このヘッダー本体の一側面に設けられた第１供給接続口及び第１戻り接続口と、ヘッダー本体の他側面に設けられた第２供給接続口及び第２戻り接続口と、ヘッダー本体の底面に設けられた熱媒体供給接続口及び熱媒体戻り接続口とを備えたものが知られている（例えば、特許文献１参照）。この熱媒体供給ヘッダーでは、第１供給接続口と第２供給接続口とが往き流路を介して連通され、第１戻り接続口と第２戻り接続口とが戻り流路を介して接続され、熱媒体供給接続口が往き流路に接続され、熱媒体戻り接続口が戻り流路に接続され、熱媒体供給接続口及び熱媒体戻り接続口は床部材を通して床下空間に延び、熱源機の供給側からの供給流路が床下空間を通して熱媒体供給接続口に接続され、熱媒体戻り接続口が床下空間を通して熱源機の戻り側に接続される。
【０００４】
このような熱媒体供給ヘッダーを備えた床暖房装置では、熱源機の供給側からの温水が供給流路を通して熱媒体供給接続口に送給され、この熱媒体供給接続口から往き流路に流れる際に分岐されて第１及び第２供給接続口に送給される。また、温水チューブを流れて第１戻り接続口及び第２戻り接続口に戻ってきた温水は、戻り流路で合流して熱媒体戻り接続口に流れ、この熱媒体戻り接続口から戻り流路を通して熱源機の戻り側に戻る。
【０００５】
【特許文献１】特開２００４−１６２９２５号公報
【発明の開示】
【発明が解決しようとする課題】
【０００６】
しかしながら、このような熱媒体供給ヘッダーでは、例えば、第１供給接続口に接続される温水チューブの流路抵抗と第２供給接続口に接続される温水チューブの流路抵抗とが異なると、熱媒体供給流路から第１供給接続部に流れる温水流量とこの熱供給媒体から第２供給接続部に流れる温水流量とが異なるようになる。このような温水の流量差が生じると、流量の多い温水チューブ側では暖房温度が上昇傾向になるのに対し、流量の少ない温水チューブ側では暖房温度が下降傾向になり、その結果、床暖房中において部分的に暖房温度差が生じる。
【０００７】
このような問題を解消するためには、第１供給接続口及び／又は第２供給接続口に温水流量を調整するための流量調整弁を配設するようにすればよいが、上述した形態の熱媒体供給ヘッダーを用いた形態のものでは、このような流量調整弁を配設する空間が存在せず、流量調整弁による流量調整が困難である。
【０００８】
そこで、流量調整弁を設けることに代えて、第１供給接続口及び／又は第２供給接続口に絞り弁を設けることも考えられるが、第１供給接続口及び第２供給接続口の内径が小さいので、これら供給接続口に絞り弁を配設することはそれらの流路抵抗が大きくなり、このような構成は実用的でない。
【０００９】
本発明の目的は、流路抵抗の増大を抑えながら、熱媒体の第１供給接続口を通して送給される送給流量と第２供給接続口を通して送給され送給流量との相対流量を調整することができる熱供給ヘッダーを提供することである。
【課題を解決するための手段】
【００１０】
本発明の請求項１に記載の熱媒体供給ヘッダーは、熱媒体を分岐するためのヘッダー本体を備え、前記ヘッダー本体の一側面に第１供給接続口が設けられ、その一側面と異なる他側面に第２供給接続口が設けられ、前記第１供給接続口と前記第２供給接続口とが往き流路を介して連通され、前記ヘッダー本体の底面には前記往き流路に連通される熱媒体供給接続口が設けられた熱媒体供給ヘッダーであって、
前記熱媒体供給接続口には、前記熱媒体供給流路から前記往き流路を通して前記第１供給接続口に流れる流量と前記熱媒体供給接続口から前記往き流路を通して前記第２供給接続口に流れる流量との相対流量を調整するための流量調整部材が配設されていることを特徴とする。
【００１１】
また、本発明の請求項２に記載の熱媒体供給ヘッダーでは、前記流量調整部材は中空筒状部材から構成され、その先端部には先端開口を閉塞するための突出閉塞部が設けられ、また前記中空筒状部材には、前記第１供給接続口に対応して第１流量調整開口が設けられているとともに、前記第２供給接続口に対応して第２流量調整開口が設けられ、前記突出閉塞部は前記ヘッダー本体の一部に係合して前記中空筒状部材の相対的回動が防止されることを特徴とする。
【００１２】
更に、本発明の請求項３に記載の熱媒体供給ヘッダーでは、前記流量調整部材は横断面Ｃ字状の弾性部材から構成され、前記弾性部材には流量調整開口が設けられているとともに、その両端部間には間隙開口が規定されており、前記第１供給接続口に対応して前記間隙開口又は前記流量調整開口が配置され、前記第２供給接続口に対応して前記流量調整開口又は前記間隙開口が配置され、前記弾性部材はその弾性拡径力によって前記熱媒体供給接続口に弾性的に保持されることを特徴とする。
【発明の効果】
【００１３】
本発明の請求項１に記載の熱媒体供給ヘッダーによれば、流量調整部材がヘッダー本体の往き流路に接続された熱媒体供給接続口に配設されており、この熱媒体供給接続口は第１及び第２供給接続口に比して内径が大きく、従って、この熱媒体供給接続口に配設することによって、流量調整部材を配設するによる流路抵抗の増大を小さく抑えることができる。また、この流量調整部材は、熱媒体供給流路から往き流路を通して第１供給接続口に流れる流量とこの往き流路を通して第２供給接続口に流れる流量との相対流量を調整するので、第１供給接続口及び第２供給接続口を通して送給される熱媒体の相対的送給量を所望の通りに調整することができ、その結果、暖房状態（及び／又は冷房状態）を均一に保つことができる。
【００１４】
また、本発明の請求項２に記載の熱媒体供給ヘッダーによれば、中空筒状部材には、第１供給接続口に対応して第１流量調整開口が設けられ、また第２供給接続口に対応して第２流量調整開口が設けられているので、中空筒状部材を熱媒体供給接続口に挿入するという簡単な構成でもって、第１流量調整開口及び第２流量調整開口により第１供給接続口及び第２供給接続口を通して送給される熱媒体の相対的送給量を所望の通りに調整することができる。また、中空筒状部材の先端部に突出閉塞部が設けられ、この突出閉塞部がヘッダー本体の一部に係合されるので、ヘッダー本体に対する中空筒状部材の相対的回動を確実に防止することができる。
【００１５】
更に、本発明の請求項３に記載の熱媒体供給ヘッダーによれば、流量調整部材は横断面Ｃ字状の弾性部材から構成され、その弾性拡径力によって熱媒体供給接続口に弾性的に保持されるので、簡単な構成でもって流量調整部材を熱媒体供給接続口に確実に装着することができる。また、弾性部材の間隙開口（又は流量調整開口）が第１供給接続口に対応して配置され、その流路調整口（又は間隙開口）が第２供給接続口に対応して配置されるので、これら間隙開口及び流量調整開口により第１供給接続口及び第２供給接続口を通して送給される熱媒体の相対的送給量を所望の通りに調整することができる。
【発明を実施するための最良の形態】
【００１６】
以下、図面を参照して、本発明に従う熱媒体供給ヘッダーについて説明する。
第１の実施形態
まず、図１〜図４を参照して、第１の実施形態の熱媒体供給ヘッダーについて説明する。図１は、第１の実施形態の熱媒体供給ヘッダーを示す正面図であり、図２は、図１の熱供給ヘッダーを示す断面図であり、図３は、図１の熱媒体供給ヘッダーにおける中空筒状部材を示す正面図であり、図４は、図３の中空筒状部材を示す側面図である。
【００１７】
図１及び図２において、図示の熱媒体供給ヘッダー２は矩形状のヘッダー本体４を備え、このヘッダー本体４の一側面（図１及び図２において左側面）に第１接続部６が設けられ、その他側面（図１及び図２において右側面であって、上記一側面とは反対側の側面）に第２接続部８が設けられている。第１接続部６は第１供給接続口１０を規定し、第２接続部８は第２供給接続口１２を規定し、第１供給接続口１０及び第２供給接続口１２とがヘッダー本体４に規定された往き流路１４を介して連通されている。また、ヘッダ本体４の底面には供給接続部１３が設けられている。この供給接続部１３は熱媒体供給接続口１６を規定し、この熱媒体供給接続口１６はヘッダー本体４の往き流路１４に接続されている。
【００１８】
この熱媒体供給ヘッダー２においては、ヘッダ本体４が床暖房装置の温水マット（図示せず）が設置される床下地１８に載置され、第１接続部６が床下地１８の表面に沿って片側に延び、第２接続部８が床下地１８の表面に沿って他方に延び、供給接続部１３が床下地１８に設けられた開口を通して下方に延びている。例えば、片側に設置される温水マット（図示せず）に内蔵された温水チューブ２０の一端部が第１接続部６に接続され、他側に設置される温水マット（図示せず）に内蔵された温水チューブ２２の一端部が第２接続部８に接続される。また、温水を生成する熱源機（図示せず）の供給側から延びる温水供給配管（図示せず）が供給接続部１３に接続される。
【００１９】
このような形態の熱媒体供給ヘッダー２を用いる場合、図示していないが、上述した熱媒体供給ヘッダー２と同様の構成の熱媒体戻りヘッダーが用いられる。そして、片側に設置される温水マットに内蔵された温水チューブの他端部が熱媒体戻りヘッダーの第１接続部（第１供給接続口１０が第１戻り接続口として機能する）に接続され、他側に設置される温水マットに内蔵された温水チューブの他端部が熱媒体戻りヘッダーの第２接続部（第２供給接続口１２が第２戻り接続口として機能する）に接続され、また熱源機の戻り側からの温水戻り配管が戻り接続部（熱媒体供給接続口が熱媒体戻り接続口として機能する）に接続される。
【００２０】
このような熱媒体供給ヘッダー２及び熱媒体戻りヘッダー（図示せず）を備えた床暖房装置では、熱源機にて生成された温水が、その供給側から温水供給配管を通して熱媒体供給ヘッダー２に供給され、かく供給された温水が熱媒体供給接続口１６から往き流路１４を通して第１供給接続口１０及び第２供給接続口１２に分岐して流れ、第１供給接続口１０に流れた温水は、片側の温水マットの温水チューブ２０を通して流れ、かかる温水チューブ２０を流れる間にこの温水の熱でもって片側の温水マットが加温され、また第２供給接続口１２に流れた温水は、他側の温水マットの温水チューブ２２を通して流れ、かかる温水チューブ２２を流れる間にこの温水の熱でもって他側の温水マットが加温される。
【００２１】
片側の温水マットを流れた温水は、図示していないが、熱媒体戻りヘッダーの第１戻り接続口に流れ、他側の温水マットを流れた温水は、熱媒体戻りヘッダーの第２戻り接続口に流れ、かく流れた温水は戻り流路（往き流路が戻り流路として機能する）で合流して熱媒体戻り接続口に流れ、この熱媒体戻り接続口から戻り配管を通して熱源機の戻り側に戻り、このようにして熱源機からの温水が循環される。
【００２２】
この実施形態では、熱媒体供給接続口１６から往き流路１４を通して分岐して第１供給接続口１０に流れる温水流量と熱媒体供給接続口１６から往き流路１４を通して分岐して第２供給接続口１２に流れる温水流量との相対流量を調整するための流量調整部材２４が設けられている。図３及び図４をも参照して、この流量調整部材２４は中空筒状部材２６から構成され、その先端部に先端開口を閉塞する突出閉塞部２８が設けられている。この突出閉塞部２８は、図３及び図４から理解されるように、側面側から見た断面形状が上方に突出する円弧状であり、径方向に直線状に延びている。また、ヘッダー本体４の往き流路１４の一部（図２において上部である頂部）は流れ方向から見て円弧状に形成され、図２に示すように、中空筒状部材２６は、その突出閉塞部２８が往き流路１４の円弧状部に係合するように熱媒体供給接続口１６に挿入され、このように往き流路１４まで挿入することによって、中空筒状部材２６がヘッダー本体４に対する相対的に回動することが防止される。この往き流路１４の円弧状部（図２における頂部）は、例えば、供給接続部１３の熱媒体供給接続口１６を穴加工した後に第１及び第２接続部６，８の第１及び第２供給接続口１０，１２を穴加工することによってこのように形成することができる。
【００２３】
中空筒状部材２６には、その片側（図３において左側）の上端部に第１流路調整開口３２が設けられ、その他側（図３において右側）の上端部（第１流路調整開口開口３２と対向する部位）に第２流路調整開口３４が設けられている。この中空筒状部材２６の装着状態においては、図２に示すように、第１流路調整開口３２は第１供給接続口１０に対応してこれに連通するように位置し、熱媒体供給接続口１６（換言すると、これ装着された中空筒状部材２６）から第１供給接続口１０に送給される温水の流量を調整し、また第２流路調整開口３４は第２供給接続口１２に対応してこれに連通するように位置し、熱媒体供給接続口１６から第２供給接続口１２に送給される温水の流量を調整する。
【００２４】
例えば、片側の温水マットの温水チューブ２０が他側の温水マットの温水チューブ２２の流路抵抗よりも大きいときには、他側の温水チューブ２２を流れる温水流量が片側の温水チューブ２０を流れる温水流量よりも多くなるが、このようなときには、図３に示すように、第１流路調整開口３２が第２流路調整開口３４よりも大きい中空筒状部材２６が用いられる。この中空筒状部材２６としては、第１及び第２流量調整開口３２，３４の大きさの種々異なる複数種のものが用意され、第１供給接続口１０から片側の温水チューブ２０に送給される温水流量と第２供給接続口１２から他側の温水チューブ２２に送給される温水流量とがほぼ等しくなるようなものが選択されて装着される。例えば、上述したと反対に、片側の温水マットの温水チューブ２０が他側の温水マットの温水チューブ２２の流路抵抗よりも小さいときには、片側の温水チューブ２２を流れる温水流量が他側の温水チューブ２０を流れる温水流量よりも多くなるが、このようなときには、第１流路調整開口３２が第２流路調整開口３４よりも小さい中空筒状部材２６が用いられる。
【００２５】
この中空筒状部材２６は、熱媒体供給接続口１６内に取換え可能に装着するのが好ましく、このように構成する場合、図２に示すように、熱媒体供給接続口１６内に中空筒状部材２６を挿入した後にその開口部に固定用リング３６を例えば圧入固定するようにするのが望ましい。中空筒状部材２６は例えば金属材料、合成樹脂材料などから形成され、また固定用リング３６は合成樹脂材料などから形成され、この固定用リング３６を外すことによって、中空筒状部材２６をヘッダー本体４の熱媒体供給接続口１６から取り外すことができる。
【００２６】
この熱媒体供給ヘッダー２では、流量調整部材２４（この形態では、中空調整部材２６）が熱媒体供給接続口１６に配設されるので、次の通りの特徴を有する。即ち、熱媒体供給接続口１６の内径は、第１供給接続口１０及び第２供給接続口１２の内径よりも大きく、それ故に、この熱媒体供給接続口１６に流量調整部材２４を配設しても流路抵抗の増大は少なく、従って、流路抵抗の増大を抑えながら、第１供給接続口１０及び第２供給接続口１２へ流れる熱媒体の相対流量を所望の通りに調整することができる。
【００２７】
このような中空筒状部材２６を備えた熱媒体供給ヘッダー２においては、熱媒体供給接続口１６から第１供給接続口１０を通して片側の温水チューブ２０に送給される温水は、中空筒状部材２６の第１流量調整開口３２によって流量が調整され、また熱媒体供給接続口１６から第２供給接続口１２を通して他側の温水チューブ２２に送給される温水は、中空筒状部材２６の第２流量調整開口３４によって流量が調整され、このように流量を調整することによって、第１供給接続口１０を通して送給される温水流量と第２供給接続口１２を通して送給される温水流量とがほぼ等しくなり、その結果、温水による温水マットの暖房状態を均一に調整することができる。
【００２８】
第２の実施形態
次に、図５及び図６を参照して、第２の実施形態の熱媒体供給ヘッダーについて説明する。図５は、第２の実施形態の熱媒体供給ヘッダーを示す断面図であり、図６は、図５の熱供給ヘッダーにおける弾性部材を示す斜視図である。尚、以下の実施形態において、上述した第１の実施形態と同様の部材には同一の番号を付し、その説明を省略する。
【００２９】
図５及び図６において、この第２の実施形態においては、流量調整部材及びそれに関連する構成に修正が施されており、この流量調整部材２４Ａは横断面形状がＣ字状の弾性部材４２から構成される。この弾性部材４２は、例えば板ばね材料から形成され、外側から負荷を加えることによって径方向に弾性的に縮径し、またこの負荷を解放することによって径方向に弾性的に拡径する。この弾性部材４２においては、その両端部間に細長い間隙開口４４が設けられ、この間隙開口４４と対向する部位の上端部に流量調整開口４６が設けられている。
【００３０】
この実施形態では、ヘッダー本体４の第１供給接続口１０に対応してこれに連通するように間隙開口４４が配置され、熱媒体供給接続口１６（換言すると、これ装着された弾性部材４２）から第１供給接続口１０に送給される温水の流量を調整し、またその第２供給接続口１２に対応してこれに連通するように流量調整開口４６が配置され、熱媒体供給接続口１６から第２供給接続口１２に送給される温水の流量を調整する。
【００３１】
上述した記載から理解されるように、片側の温水マットの温水チューブ２０が他側の温水マットの温水チューブ２２の流路抵抗よりも大きいときには、弾性部材４２は図５に示すように装着され、開口の大きい間隙開口４４が第１供給接続口１０に連通し、開口の小さい流量調整開口４６が第２供給接続口１２に連通され、このようにして第１供給接続口１０から片側の温水チューブ２０に送給される温水流量と第２供給接続口１２から他側の温水チューブ２２に送給される温水流量とがほぼ等しくなるようすることができる。尚、これとは反対に、片側の温水マットの温水チューブ２０が他側の温水マットの温水チューブ２２の流路抵抗よりも小さいときには、開口の大きい間隙開口４４が第２供給接続口１２に連通し、開口の小さい流量調整開口４６が第１供給接続口１０に連通されるように弾性部材４２が装着される。
【００３２】
また、ヘッダー本体４の往き流路１４の頂部（具体的には、図５において上部であって、流量調整部材２４Ａの端部に対応する部位）は、平坦に形成され、ヘッダー本体４に対する流量調整部材２４Ａの相対的な回動が許容されるように構成されている。往き流路１４のこのような平坦な形状は、例えば、第１及び第２接続部６，８の第1及び第２供給接続口１０，１２を穴加工した後に供給接続部１３の熱媒体供給接続口１６を穴加工することによって形成することができる。
【００３３】
この弾性部材４２は、縮径させた状態で熱媒体供給接続口１６に挿入した後解放して拡径させることによって装着され、このような装着状態では、弾性部材４２はその弾性拡径力によって弾性的に保持される。このように弾性的に保持される構成では、ヘッダー本体４（具体的には、供給接続部１３）に対して弾性部材４２を相対的に回動させることができ、このように回動させることによって、第１供給接続口１０（又は第２供給接続口１２）と弾性部材４２の間隙開口４４との連通状態（換言すると、間隙開口４４を通して第１供給接続口１０（又は第２供給接続口１２）に流れる温水の送給流量）を調整することができるとともに、第２供給接続口１２（又は第１供給接続口１０）と弾性部材４２の流量調整開口４６との連通状態（換言すると、流量調整開口４６を通して第２供給接続口１２（又は第１供給接続口１０）に流れる温水の送給流量）を調整することができる。
【００３４】
このような弾性部材４２を備えた熱媒体供給ヘッダー２Ａにおいては、第１の実施形態と略同様に、熱媒体供給接続口１６から第１供給接続口１０を通して片側の温水チューブ２０に送給される温水は、弾性部材４２の間隙開口４４（又は流量調整開口４６）によって流量が調整され、また熱媒体供給接続口１６から第２供給接続口１２を通して他側の温水チューブ２２に送給される温水は、弾性部材４２の流量調整開口４６によって流量が調整され、このように流量を調整することによって、第１供給接続口１０を通して送給される温水流量と第２供給接続口１２を通して送給される温水流量とがほぼ等しくなり、上述したと同様の効果を達成することができる。
【００３５】
以上、本発明に従う熱媒体供給ヘッダーの実施形態について説明したが、本発明はかかる実施形態に限定されるものではなく、本発明の範囲を逸脱することなく種々の変形乃至修正が可能である。
【００３６】
第１の実施形態では、流量調整部材２４が中空筒状部材２６から構成されているが、このような中空筒状部材２６に代えて、図７で示すような弾性部材４２Ｂから構成するようにしてもよい。図７において、この流量調整部材２４Ｂの弾性部材４２Ｂは、第２の実施形態における弾性部材４２Ａと略同様の構成のものでよく、その間隙４４Ｂがヘッダー本体の第１供給接続口と第２供給接続口との間に位置するように熱媒体供給接続口に挿入される。この弾性部材４４Ｂでは、上述した装着状態において第１供給接続口に対応してこれに連通する第１流量調整口３２Ｂが設けられ、また第２供給接続口に対応してこれに連通する第２流量調整口３４Ｂが設けられる。流量調整部材２４Ｂとしてこのような弾性部材４２Ｂを用いても上述したと同様の作用効果が達成される。
【００３７】
また、例えば、上述した実施形態では、ヘッダー本体４に熱媒体供給接続口１６のみが設けられた形態に適用して説明したが、このような形態に限定されず、ヘッダー本体４に熱媒体供給接続口１６及び熱媒体戻り接続口が設けられた形態にも同様に適用することができる。この場合、ヘッダー本体４には、第１供給接続口１０側に第１戻り接続口（温水チューブ２０の他端部が接続される）が設けられるとともに、第２供給接続口１２側に第２戻り接続口（温水チューブ２２の他端部が接続される）が設けられ、第１戻り接続口及び第２戻り接続口を連通する戻り流路に熱媒体戻り接続口が接続される。
【００３８】
更に、上述した実施形態では、床面を暖房する床暖房装置に適用して説明したが、これに限定されず、室内の壁、天井などを冷房及び／又は暖房するための装置などに用いる熱媒体供給ヘッダーとして広く用いることができる。
【図面の簡単な説明】
【００３９】
【図１】第１の実施形態の熱媒体供給ヘッダーを示す正面図。
【図２】図１の熱供給ヘッダーを示す断面図。
【図３】図１の熱媒体供給ヘッダーにおける中空筒状部材を示す正面図。
【図４】図３の中空筒状部材を示す側面図。
【図５】第２の実施形態の熱媒体供給ヘッダーを示す断面図。
【図６】図５の熱供給ヘッダーにおける弾性部材を示す正面図。
【図７】弾性部材の変形形態を示す斜視図。
【符号の説明】
【００４０】
２，２Ａ  熱媒体供給ヘッダー
４  ヘッダー本体
１０  第１供給接続口
１２  第２供給接続口
１４  往き流路
１６  熱媒体供給接続口
２０，２２  温水チューブ
２４，２４Ａ，２４Ｂ  流量調整部材
２６  中空筒状部材
３２，３２Ｂ  第１流量調整開口
３４，３４Ｂ  第２流量調整開口
４２，４２Ｂ  弾性部材
４４  間隙開口
４６  流量調整開口
【図１】
2010101511.tif 000003
【図２】
2010101511.tif 000004
【図３】
2010101511.tif 000005
【図４】
2010101511.tif 000006
【図５】
2010101511.tif 000007
【図６】
2010101511.tif 000008
【図７】
2010101511.tif 000009